(57)【要約】【課題】移動通信システムにおいて、無線基地局近傍の移動局には共通チャネルのままで信号を送受させることにより接続時間の短縮化を図り、セル端の移動局には個別チャネルを設定することで干渉の増加を抑制し、かつ送信電力が上限に達する可能性を低くして通信品質を安定させ、接続時間の増加を予防する。【解決手段】移動局１０２と無線通信局１０１との間で通信を開始する際に、無線基地局は移動局との送信電力、通信品質又は共通チャネルの使用率を測定し、予め定めたしきい値と比較し、測定結果がしきい値を下回った場合は、共通チャネルで信号の送受信を継続し、測定結果がしきい値を上回った場合は、個別チャネルを設定し、個別チャネルで信号の送受信を継続するように、無線チャネル１０３を設定する。【選択図】　　　図３
2004032211.tif 000002
【特許請求の範囲】
【請求項１】
移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、
１つの移動局からの共通チャネルの発信信号を受けて、無線基地局が当該移動局との送信電力を予め定めたしきい値と比較するステップと、
前記無線基地局が、前記送信電力がしきい値を下回った場合に、前記移動局と共通チャネルで信号の送受信を継続するステップと、
前記無線基地局が、前記送信電力がしきい値を上回った場合に個別チャネルを設定し、前記移動局と当該個別チャネルで信号の送受信を継続するステップとを有することを特徴とする移動通信システムにおける無線チャネル設定方法。
【請求項２】
前記無線基地局が前記送信電力を、前記移動局が発信時に送信する信号受信レベルから算出することを特徴とする請求項１記載の移動通信システムにおける無線チャネル設定方法。
【請求項３】
移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、
１つの移動局からの共通チャネルの発信信号を受けて、無線基地局が当該移動局との通信品質を予め定めたしきい値と比較するステップと、
前記無線基地局が、前記通信品質がしきい値を下回った場合に、前記移動局と共通チャネルで信号の送受信を継続するステップと、
前記無線基地局が、前記通信品質がしきい値を上回った場合に個別チャネルを設定し、前記移動局と当該個別チャネルで信号の送受信を継続するステップとを有することを特徴とする移動通信システムにおける無線チャネル設定方法。
【請求項４】
前記無線基地局が前記通信品質を、無線区間における伝送ブロックの誤り率から算出することを特徴とする請求項３記載の移動通信システムにおける無線チャネル設定方法。
【請求項５】
移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、
１つの移動局からの共通チャネルの発信信号を受けて、無線基地局が共通チャネルの使用率を予め定めたしきい値と比較するステップと、
前記無線基地局が、前記共通チャネルの使用率がしきい値を下回った場合に、前記移動局と共通チャネルで信号の送受信を継続するステップと、
前記無線基地局が、前記共通チャネルの使用率がしきい値を上回った場合に個別チャネルを設定し、前記移動局と個別チャネルで信号の送受信を継続するステップとを有することを特徴とする移動通信システムにおける無線チャネル設定方法。
【請求項６】
前記無線基地局が前記共通チャネルの使用率を、共通チャネルに接続している移動局台数から算出することを特徴とする請求項５記載の移動通信システムにおける無線チャネル設定方法。
【請求項７】
前記無線基地局が前記共通チャネルの使用率を、無線区間における伝送ブロックの送信数から算出することを特徴とする請求項５記載の移動通信システムにおける無線チャネル設定方法。
【請求項８】
移動局との間の無線チャネルとしていずれの移動局もその通信開始時に送受信可能な共通チャネルと、設定手順を経て移動局毎に設定される個別チャネルとを切り替えて使用する移動通信システムであって、
移動局との間で無線信号を送受する送受信処理手段と、
与えられる指示に応じて無線チャネルの設定・切替制御を行う制御信号処理手段と、
通知される移動局毎の共通チャネルでの送信電力をもとにして設定すべき無線チャネルを判断し、前記制御信号処理手段に指示する無線チャネル設定制御手段と、
移動局毎に共通チャネルでの送信電力を測定し、前記無線チャネル設定制御手段に通知する送信電力測定手段とを備え、
前記無線チャネル設定制御手段は、１つの移動局からの共通チャネルの送信電力を予め定めたしきい値と比較し、当該送信電力がしきい値を下回った場合には当該移動局と共通チャネルで信号の送受信を継続し、前記送信電力がしきい値を上回った場合には個別チャネルを設定し、当該個別チャネルで信号の送受信を継続する指示を前記制御信号処理手段に与えることを特徴とする移動通信システム。
【請求項９】
前記送信電力測定手段は、前記移動局が発信時に送信する信号受信レベルから前記送信電力を算出することを特徴とする請求項８記載の移動通信システム。
【請求項１０】
移動局との間の無線チャネルとしていずれの移動局もその通信開始時に送受信可能な共通チャネルと、設定手順を経て移動局毎に設定される個別チャネルとを切り替えて使用する移動通信システムであって、
移動局との間で無線信号を送受する送受信処理手段と、
与えられる指示に応じて無線チャネルの設定・切替制御を行う制御信号処理手段と、
通知される移動局毎の通信品質をもとにして設定すべき無線チャネルを判断し、前記制御信号処理手段に指示する無線チャネル設定制御手段と、
移動局毎の通信品質を測定し、前記無線チャネル設定制御手段に通知する通信品質測定手段とを備え、
前記無線チャネル設定制御手段は、１つの移動局からの共通チャネルの発信信号に対する通信品質を予め定めたしきい値と比較し、当該通信品質がしきい値を下回った場合には当該移動局と共通チャネルで信号の送受信を継続し、前記通信品質がしきい値を上回った場合には個別チャネルを設定し、当該個別チャネルで信号の送受信を継続する指示を前記制御信号処理手段に与えることを特徴とする移動通信システム。
【請求項１１】
前記通信品質測定手段は、無線区間における伝送ブロックの誤り率から前記通信品質を算出することを特徴とする請求項１０記載の移動通信システム。
【請求項１２】
移動局との間の無線チャネルとしていずれの移動局もその通信開始時に送受信可能な共通チャネルと、設定手順を経て移動局毎に設定される個別チャネルとを切り替えて使用する移動通信システムであって、
移動局との間で無線信号を送受する送受信処理手段と、
与えられる指示に応じて無線チャネルの設定・切替制御を行う制御信号処理手段と、
通知される共通チャネルの使用率をもとにして設定すべき無線チャネルを判断し、前記制御信号処理手段に指示する無線チャネル設定制御手段と、
共通チャネルの使用率を測定し、前記無線チャネル設定制御手段に通知する使用率測定手段とを備え、
前記無線チャネル設定制御手段は、１つの移動局からの共通チャネルの発信信号を受けたときの共通チャネルの使用率を予め定めたしきい値と比較し、当該共通チャネルの使用率がしきい値を下回った場合には当該移動局と共通チャネルで信号の送受信を継続し、前記共通チャネルの使用率がしきい値を上回った場合には個別チャネルを設定し、当該個別チャネルで信号の送受信を継続する指示を前記制御信号処理手段に与えることを特徴とする移動通信システム。
【請求項１３】
前記無線チャネル設定制御手段は、共通チャネルに接続している移動局台数から前記共通チャネルの使用率を算出することを特徴とする請求項１２記載の移動通信システム。
【請求項１４】
前記無線チャネル設定制御手段は、無線区間における伝送ブロックの送信数から前記共通チャネルの使用率を算出することを特徴とする請求項１２記載の移動通信システム。
【請求項１５】
与えられる指示に応じて無線チャネルの設定・切替制御を行う制御信号処理手段と、
通知される移動局毎の共通チャネルでの送信電力をもとにして設定すべき無線チャネルを判断し、前記制御信号処理手段に指示する無線チャネル設定制御手段と、
移動局毎に共通チャネルでの送信電力を測定し、前記無線チャネル設定制御手段に通知する送信電力測定手段とを備え、
前記無線チャネル設定制御手段は、１つの移動局からの共通チャネルの送信電力を予め定めたしきい値と比較し、当該送信電力がしきい値を下回った場合には当該移動局と共通チャネルで信号の送受信を継続し、前記送信電力がしきい値を上回った場合には個別チャネルを設定し、当該個別チャネルで信号の送受信を継続する指示を前記制御信号処理手段に与えることを特徴とする移動通信制御装置。
【請求項１６】
前記送信電力測定手段は、前記移動局が発信時に送信する信号受信レベルから前記送信電力を算出することを特徴とする請求項１５記載の移動通信制御装置。
【請求項１７】
与えられる指示に応じて無線チャネルの設定・切替制御を行う制御信号処理手段と、
通知される移動局毎の通信品質をもとにして設定すべき無線チャネルを判断し、前記制御信号処理手段に指示する無線チャネル設定制御手段と、
移動局毎の通信品質を測定し、前記無線チャネル設定制御手段に通知する通信品質測定手段とを備え、
前記無線チャネル設定制御手段は、１つの移動局からの共通チャネルの発信信号に対する通信品質を予め定めたしきい値と比較し、当該通信品質がしきい値を下回った場合には当該移動局と共通チャネルで信号の送受信を継続し、前記通信品質がしきい値を上回った場合には個別チャネルを設定し、当該個別チャネルで信号の送受信を継続する指示を前記制御信号処理手段に与えることを特徴とする移動通信制御装置。
【請求項１８】
前記通信品質測定手段は、無線区間における伝送ブロックの誤り率から前記通信品質を算出することを特徴とする請求項１７記載の移動通信制御装置。
【請求項１９】
与えられる指示に応じて無線チャネルの設定・切替制御を行う制御信号処理手段と、
通知される共通チャネルの使用率をもとにして設定すべき無線チャネルを判断し、前記制御信号処理手段に指示する無線チャネル設定制御手段と、
共通チャネルの使用率を測定し、前記無線チャネル設定制御手段に通知する使用率測定手段とを備え、
前記無線チャネル設定制御手段は、１つの移動局からの共通チャネルの発信信号を受けたときの共通チャネルの使用率を予め定めたしきい値と比較し、当該共通チャネルの使用率がしきい値を下回った場合には当該移動局と共通チャネルで信号の送受信を継続し、前記共通チャネルの使用率がしきい値を上回った場合には個別チャネルを設定し、当該個別チャネルで信号の送受信を継続する指示を前記制御信号処理手段に与えることを特徴とする移動通信制御装置。
【請求項２０】
前記無線チャネル設定制御手段は、共通チャネルに接続している移動局台数から前記共通チャネルの使用率を算出することを特徴とする請求項１９記載の移動通信制御装置。
【請求項２１】
前記無線チャネル設定制御手段は、無線区間における伝送ブロックの送信数から前記共通チャネルの使用率を算出することを特徴とする請求項１９記載の移動通信制御装置。
【発明の詳細な説明】
【０００１】
【発明の属する技術分野】
本発明は、移動通信システムにおける無線チャネル設定方法、移動通信システム及び移動通信制御装置に関する。
【０００２】
【従来の技術】
ＩＭＴ−２０００の無線アクセス技術として、ＣＤＭＡ（Ｃｏｄｅ　Ｄｉｖｉｓｉｏｎ　Ｍｕｌｔｉｐｌｅ　Ａｃｃｅｓｓ）方式を採用したＦＯＭＡ（商品名）システムという移動通信システムが知られている。この移動通信システムにおける移動局と無線基地局との間の無線チャネルの設定方式は、次のようなものである。
【０００３】
ＣＤＭＡ方式は同一セル内に在圏する他の移動局からの干渉量により無線容量が制限される方式であるため、干渉低減のためには同一セル内の全移動局が常に必要最小限の電力で通信を行う必要がある。そこで従来の移動通信システムは、無線基地局と移動局との間で常時、無線品質を測定し、その結果に応じて高速な送信電力制御を行うことによって送信電力を最適化し、システム容量の向上及び通信品質の安定化を図っている。
【０００４】
一般に無線通信システムで用いられる無線チャネルには、「共通チャネル」と呼ばれ、全移動局が共通に通信開始時に送受信可能なチャネルと、「個別チャネル」と呼ばれ、上り／下り回線ペアで移動局毎に割り当てるチャネルとがある。そして、通信開始時にはまず共通チャネルにアクセスし、共通チャネル上で個別チャネルを設定するための制御信号の送受信を行った後、個別チャネルに移行して音声通信やデータ通信を行うという手順で通信を行う。
【０００５】
ここで、「制御信号」とは、移動局の種類や要求するサービスの識別及び移動局の認証や秘匿設定等、移動局とネットワークとの間で通信を開始するために必要不可欠な信号群を意味し、一般に数往復分のやり取りが必要である。
【０００６】
上記のＦＯＭＡシステムでも同様に、共通チャネルから個別チャネルに移行する手順を用いているが、前述の高速な送信電力制御は双方向チャネルである個別チャネルで適用可能であるため、システム容量面、通信品質の両面からできるだけ早いタイミングで個別チャネルに切り替えるのが望ましい。
【０００７】
このため、従来は、図４のシーケンスの手順のチャネル切替を行っている。この手順は次の通りである。移動局から共通チャネルで発信すると（シーケンスＱ１）、無線基地局は共通チャネルを用いて制御用の個別チャネルを通知し（シーケンスＱ２）、この後、発信元の移動局と無線基地局との間は共通チャネルから制御用の個別チャネルに切替えて制御信号を送受信する（シーケンスＱ３，Ｑ４）。そして制御信号の送受が終了すれば、無線基地局は発信元の移動局に通信用の個別チャネルを通知し（シーケンスＱ５）、両者間で音声通信やパケットデータ通信等の用途に応じて通信用の個別チャネルに切替えて無線信号を送受信する（シーケンスＱ６，Ｑ７）。
【０００８】
この従来の移動通信システムにおける無線チャネルの切替制御方式によれば、共通チャネル上での送受信を最小限とし、個別チャネルで制御信号の殆どをやり取りすることが可能となるため、個別チャネルの高速送信電力制御によるメリットを一層活かすことができる。
【０００９】
【発明が解決しようとする課題】
しかしながら、従来の移動通信システムのように共通チャネルから順次制御用の個別チャネル、通信用の個別チャネルを設定していく方式では、ユーザが移動局から発信してから実際に音声通信やデータ通信が可能となるまでの接続時間が長くかかる問題点があった。これは、次の２つの理由による。１つには、各チャネル間の切替は移動局側及びネットワーク側ともに伝送速度変更などレイヤ１の切替処理が伴い、この切替処理に百ミリ秒程度から大きい場合は秒単位の時間を要するためである。もう１つの理由は、制御用の個別チャネルの伝送速度が共通チャネルと比較して低速であり、制御信号の伝送にかかる時間が大きいためである。この後者は、共通チャネルは複数の移動局で共用するため、ある程度高速な伝送速度を確保しているが、制御用の個別チャネルは該当移動局のみで使用するため、伝送速度に比例して消費される無線リソースやハードリソースの点を考慮するとあまり高速にできないことに起因する理由である。
【００１０】
このような従来の問題点を解決するための対策として、共通チャネルで全ての制御信号のやり取りを行い、通信用の個別チャネルを直接設定する方法が考えられる。
【００１１】
しかし、この対策では、共通チャネルでは高速な送信電力制御がシステム上実現不可能であるため、存在位置や使用環境等、移動局の状況によってはシステム容量及び通信品質の点で個別チャネルより不利になる場合があり得る。また、共通チャネルは制御用の個別チャネルと比較して伝送速度が高速で、ピークの送信電力が大きいことから、特に移動局がセル端に存在している状況では、制御用の個別チャネルと比べて上り下り共に他の移動局への干渉源となりやすく、送信電力が上限に達した場合に通信品質を満たせなくなる可能性もある。さらに、共通チャネルに多数の移動局が接続される場合は、競合制御による上りのランダムアクセス遅延や下りの送信待ち合わせの遅延も発生し、さらに接続時間がかかる可能性もある。
【００１２】
本発明はこのような従来の技術的課題に鑑みてなされたもので、無線基地局近傍の移動局には共通チャネルのままで信号を送受させることにより接続時間の短縮化を図り、セル端の移動局には個別チャネルの設定を行うことで干渉の増加を抑制し、かつ送信電力が上限に達する可能性を低くすることにより通信品質を安定させ、接続時間の増加を予防することができる移動通信システムにおける無線チャネル設定技術を提供することを目的とする。
【００１３】
【課題を解決するための手段】
請求項１及び２の発明は、移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、１つの移動局からの共通チャネルの発信信号を受けて、無線基地局が当該移動局との送信電力を予め定めたしきい値と比較するステップと、前記無線基地局が、前記送信電力がしきい値を下回った場合に、前記移動局と共通チャネルで信号の送受信を継続するステップと、前記無線基地局が、前記送信電力がしきい値を上回った場合に個別チャネルを設定し、前記移動局と当該個別チャネルで信号の送受信を継続するステップとを有することを特徴とするものである。
【００１４】
請求項１及び２本発明の移動通信システムにおける無線チャネル設定方法では、移動局の送信電力の大小に応じて後続の信号の送受信を行うチャネルを共通チャネルか個別チャネルを選択することにより、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防する。
【００１５】
請求項３及び４の発明は、移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、１つの移動局からの共通チャネルの発信信号を受けて、無線基地局が当該移動局との通信品質を予め定めたしきい値と比較するステップと、前記無線基地局が、前記通信品質がしきい値を下回った場合に、前記移動局と共通チャネルで信号の送受信を継続するステップと、前記無線基地局が、前記通信品質がしきい値を上回った場合に個別チャネルを設定し、前記移動局と当該個別チャネルで信号の送受信を継続するステップとを有することを特徴とするものである。
【００１６】
請求項３及び４の発明の移動通信システムにおける無線チャネル設定方法では、共通チャネルの無線通信品質に合わせて信号の送受を行うチャネルを共通チャネルか個別チャネルかを選択することにより、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止する。
【００１７】
請求項５〜７の発明は、移動局と無線基地局との間の無線チャネルとしていずれの移動局もその通信開始時に送受信可能な共通チャネルと、設定手順を経て移動局毎に設定される個別チャネルとを切り替えて使用する移動通信システムにおける無線チャネル設定方法であって、１つの移動局からの共通チャネルの発信信号を受けて、無線基地局が共通チャネルの使用率を予め定めたしきい値と比較するステップと、前記無線基地局が、前記共通チャネルの使用率がしきい値を下回った場合に、前記移動局と共通チャネルで信号の送受信を継続するステップと、前記無線基地局が、前記共通チャネルの使用率がしきい値を上回った場合に個別チャネルを設定し、前記移動局と個別チャネルで信号の送受信を継続するステップとを有することを特徴とするものである。
【００１８】
請求項５〜７の発明の移動通信システムにおける無線チャネル設定方法では、共通チャネルの空き具合に合わせて信号の送受を行うチャネルを共通チャネルか個別チャネルかを選択することにより、共通チャネルが空いている場合にはそのまま共通チャネルで信号を送受して接続時間の短縮化を図り、共通チャネルが混んでいる場合には個別チャネルを設定して他移動局との競合による接続時間の増加を防止する。
【００１９】
請求項８及び９の発明は、移動局との間の無線チャネルとしていずれの移動局もその通信開始時に送受信可能な共通チャネルと、設定手順を経て移動局毎に設定される個別チャネルとを切り替えて使用する移動通信システムであって、移動局との間で無線信号を送受する送受信処理手段と、与えられる指示に応じて無線チャネルの設定・切替制御を行う制御信号処理手段と、通知される移動局毎の共通チャネルでの送信電力をもとにして設定すべき無線チャネルを判断し、前記制御信号処理手段に指示する無線チャネル設定制御手段と、移動局毎に共通チャネルでの送信電力を測定し、前記無線チャネル設定制御手段に通知する送信電力測定手段とを備え、前記無線チャネル設定制御手段は、１つの移動局からの共通チャネルの送信電力を予め定めたしきい値と比較し、当該送信電力がしきい値を下回った場合には当該移動局と共通チャネルで信号の送受信を継続し、前記送信電力がしきい値を上回った場合には個別チャネルを設定し、当該個別チャネルで信号の送受信を継続する指示を前記制御信号処理手段に与えることを特徴とするものである。
【００２０】
請求項８及び９の発明の移動通信システムでは、移動局の送信電力の大小に応じて後続の信号の送受信を行うチャネルを共通チャネルか個別チャネルを選択することにより、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防する。
【００２１】
請求項１０及び１１の発明は、移動局との間の無線チャネルとしていずれの移動局もその通信開始時に送受信可能な共通チャネルと、設定手順を経て移動局毎に設定される個別チャネルとを切り替えて使用する移動通信システムであって、移動局との間で無線信号を送受する送受信処理手段と、与えられる指示に応じて無線チャネルの設定・切替制御を行う制御信号処理手段と、通知される移動局毎の通信品質をもとにして設定すべき無線チャネルを判断し、前記制御信号処理手段に指示する無線チャネル設定制御手段と、移動局毎の通信品質を測定し、前記無線チャネル設定制御手段に通知する通信品質測定手段とを備え、前記無線チャネル設定制御手段は、１つの移動局からの共通チャネルの発信信号に対する通信品質を予め定めたしきい値と比較し、当該通信品質がしきい値を下回った場合には当該移動局と共通チャネルで信号の送受信を継続し、前記通信品質がしきい値を上回った場合には個別チャネルを設定し、当該個別チャネルで信号の送受信を継続する指示を前記制御信号処理手段に与えることを特徴とするものである。
【００２２】
請求項１０及び１１の発明の移動通信システムでは、共通チャネルの無線通信品質に合わせて信号の送受を行うチャネルを共通チャネルか個別チャネルかを選択することにより、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止する。
【００２３】
請求項１２〜１４の発明は、移動局との間の無線チャネルとしていずれの移動局もその通信開始時に送受信可能な共通チャネルと、設定手順を経て移動局毎に設定される個別チャネルとを切り替えて使用する移動通信システムであって、移動局との間で無線信号を送受する送受信処理手段と、与えられる指示に応じて無線チャネルの設定・切替制御を行う制御信号処理手段と、通知される共通チャネルの使用率をもとにして設定すべき無線チャネルを判断し、前記制御信号処理手段に指示する無線チャネル設定制御手段と、共通チャネルの使用率を測定し、前記無線チャネル設定制御手段に通知する使用率測定手段とを備え、前記無線チャネル設定制御手段は、１つの移動局からの共通チャネルの発信信号を受けたときの共通チャネルの使用率を予め定めたしきい値と比較し、当該共通チャネルの使用率がしきい値を下回った場合には当該移動局と共通チャネルで信号の送受信を継続し、前記共通チャネルの使用率がしきい値を上回った場合には個別チャネルを設定し、当該個別チャネルで信号の送受信を継続する指示を前記制御信号処理手段に与えることを特徴とするものである。
【００２４】
請求項１２〜１４の発明の移動通信システムでは、共通チャネルの空き具合に合わせて信号の送受を行うチャネルを共通チャネルか個別チャネルかを選択することにより、共通チャネルが空いている場合にはそのまま共通チャネルで信号を送受して接続時間の短縮化を図り、共通チャネルが混んでいる場合には個別チャネルを設定して他移動局との競合による接続時間の増加を防止する。
【００２５】
請求項１５及び１６の発明の移動通信制御装置は、与えられる指示に応じて無線チャネルの設定・切替制御を行う制御信号処理手段と、通知される移動局毎の共通チャネルでの送信電力をもとにして設定すべき無線チャネルを判断し、前記制御信号処理手段に指示する無線チャネル設定制御手段と、移動局毎に共通チャネルでの送信電力を測定し、前記無線チャネル設定制御手段に通知する送信電力測定手段とを備え、前記無線チャネル設定制御手段は、１つの移動局からの共通チャネルの送信電力を予め定めたしきい値と比較し、当該送信電力がしきい値を下回った場合には当該移動局と共通チャネルで信号の送受信を継続し、前記送信電力がしきい値を上回った場合には個別チャネルを設定し、当該個別チャネルで信号の送受信を継続する指示を前記制御信号処理手段に与えることを特徴とするものである。
【００２６】
請求項１５及び１６の発明の移動通信制御装置では、移動局の送信電力の大小に応じて後続の信号の送受信を行うチャネルを共通チャネルか個別チャネルを選択することにより、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防する。
【００２７】
請求項１７及び１８の発明の移動通信制御装置は、与えられる指示に応じて無線チャネルの設定・切替制御を行う制御信号処理手段と、通知される移動局毎の通信品質をもとにして設定すべき無線チャネルを判断し、前記制御信号処理手段に指示する無線チャネル設定制御手段と、移動局毎の通信品質を測定し、前記無線チャネル設定制御手段に通知する通信品質測定手段とを備え、前記無線チャネル設定制御手段は、１つの移動局からの共通チャネルの発信信号に対する通信品質を予め定めたしきい値と比較し、当該通信品質がしきい値を下回った場合には当該移動局と共通チャネルで信号の送受信を継続し、前記通信品質がしきい値を上回った場合には個別チャネルを設定し、当該個別チャネルで信号の送受信を継続する指示を前記制御信号処理手段に与えることを特徴とするものである。
【００２８】
請求項１７及び１８の発明の移動通信制御装置では、共通チャネルの無線通信品質に合わせて信号の送受を行うチャネルを共通チャネルか個別チャネルかを選択することにより、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止する。
【００２９】
請求項１９〜２１の発明の移動通信制御装置は、与えられる指示に応じて無線チャネルの設定・切替制御を行う制御信号処理手段と、通知される共通チャネルの使用率をもとにして設定すべき無線チャネルを判断し、前記制御信号処理手段に指示する無線チャネル設定制御手段と、共通チャネルの使用率を測定し、前記無線チャネル設定制御手段に通知する使用率測定手段とを備え、前記無線チャネル設定制御手段は、１つの移動局からの共通チャネルの発信信号を受けたときの共通チャネルの使用率を予め定めたしきい値と比較し、当該共通チャネルの使用率がしきい値を下回った場合には当該移動局と共通チャネルで信号の送受信を継続し、前記共通チャネルの使用率がしきい値を上回った場合には個別チャネルを設定し、当該個別チャネルで信号の送受信を継続する指示を前記制御信号処理手段に与えることを特徴とするものである。
【００３０】
請求項１９〜２１の発明の移動通信制御装置では、共通チャネルの空き具合に合わせて信号の送受を行うチャネルを共通チャネルか個別チャネルかを選択することにより、共通チャネルが空いている場合にはそのまま共通チャネルで信号を送受して接続時間の短縮化を図り、共通チャネルが混んでいる場合には個別チャネルを設定して他移動局との競合による接続時間の増加を防止する。
【００３１】
【発明の実施の形態】
以下、本発明の実施の形態を図に基づいて詳説する。図１に本発明の１つの実施の形態の移動通信システムの構成を示してある。移動通信システムは、複数の移動局と通信を行う無線基地局１０１、この無線基地局１０１がカバーする無線ゾーン（セル）１００内に在圏する１〜複数の移動局１０２、無線基地局１０１と接続され無線基地局１０１や移動局１０２を制御する制御局１０４、この制御局１０４と接続される交換局１０５で構成される。
【００３２】
無線基地局１０１と移動局１０２との間には、無線通信のために無線チャネル１０３が設定される。この無線チャネル１０３には、全移動局１０２のいずれもがその通信開始時に共通に無線信号を送受信できるチャネルである共通チャネルと、上り／下り回線ペアで移動局１０２毎に割当を行うチャネルである個別チャネルとがある。
【００３３】
図２に無線基地局１０１と制御局１０４の機能構成を示してある。送受信処理部２０１を除いては、無線基地局１０１と制御局１０４とのどちらに備えても同様である。図中の実線矢印は制御信号又は音声やパケットデータ信号等の通信信号の流れを示し、破線矢印は各処理部の制御に必要な情報の流れを示している。
【００３４】
送受信処理部２０１は、各無線チャネルの多重分離やＣＤＭＡ方式のベースバンド処理及び変復調処理を行う。共通チャネル制御部２０２は、各移動局１０２に対する上りランダムアクセス制御や、各移動局１０２への下り制御信号を共通チャネルヘ多重する制御を行う。個別チャネル制御部２０３は、制御用個別チャネル、通信用個別チャネルそれぞれに対して、移動局１０２間の無線品質を常時測定し、高速な送信電力制御を行う。
【００３５】
制御信号処理部２０５は、移動局１０２と無線基地局１０１との間の制御信号の終端処理、制御信号用の無線区間のデータリンクレイヤの終端処理、無線チャネル設定制御部２０７の指示に応じて無線チャネルの設定・切替制御を行う。通信信号処理部２０６は、制御局１０４経由で交換局１０５と送受信される音声やパケットデータなどの通信信号の中継処理、通信信号用の無線区間のデータリンクレイヤの終端処理を行う。
【００３６】
無線チャネル設定制御部２０７は、使用率測定部２０８からの情報、送信電力測定部２０９からの情報及び通信品質測定部２１０からの情報をもとにして、設定すべき無線チャネルを判断し制御信号処理部２０５及び通信信号処理部２０６に指示する。
【００３７】
使用率測定部２０８は共通チャネルの使用率の測定を行い、無線チャネル設定制御部２０７に通知する。この共通チャネルの使用率の測定は、共通チャネルに接続している移動局台数から算出するか、無線区間における伝送ブロックの送信数から算出する。送信電力測定部２０９は、移動局１０２毎に共通チャネルでの送信電力を測定し、無線チャネル設定制御部２０７に通知する。この送信電力の測定は、制御信号処理部２０５にて移動局１０２から報告される移動局１０２の受信レベルをもとにして行う。通信品質測定部２１０は、移動局１０２毎の通信品質の測定を行い、無線チャネル設定制御部２０７に通知する。この通信品質の測定は、共通チャネルで受信された制御信号及び通信信号を構成する無線区間の伝送ブロックの誤り率を測定する。
【００３８】
次に、上記構成の移動通信システムにおいて、無線チャネル設定制御部２０７が実行する無線チャネル設定方法を、図３のフローチャートを用いて説明する。
【００３９】
移動局１０２と無線基地局１０１との間で通信を開始する場合、移動局１０２は共通チャネル上で発信要求を示す信号を無線基地局１０１に送信する（ステップＳ１）。この信号には、無線基地局１０１にて移動局１０２の送信電力を算出できるように、移動局１０２での受信レベルが含まれている。
【００４０】
発信要求を受けた無線基地局１０１は、まず送信電力測定部２０９で移動局１０２の受信レベルから算出された送信電力と予め設定しているしきい値とを比較する（ステップＳ２）。この比較において、送信電力がしきい値以下であれば次の判断に移る。他方、送信電力がしきい値を超えていれば、共通チャネルのまま信号の送受を行うと他の移動局へ干渉が大きく、また無線通信品質も不安定になる可能性が高いと判断し、個別チャネルの設定を行う（ステップＳ６）。
【００４１】
次に、通信品質測定部２１０で測定されている無線区間の伝送ブロックの誤り率を予め設定しているしきい値とを比較する（ステップＳ３）。この比較において、誤り率がしきい値以下であれば次の判断に移る。他方、誤り率がしきい値を超えていれば、共通チャネルでの信号の送受は再送により接続時間がかかると判断し、個別チャネルの設定を行う（ステップＳ６）。
【００４２】
最後に、共通チャネルの使用率測定部２０８で測定されている共通チャネルの使用率と予め設定しているしきい値とを比較する（ステップＳ４）。この比較において、共通チャネル使用率がしきい値以下であれば個別チャネルの設定は行わずにそのまま共通チャネルで信号の送受を継続する（ステップＳ５）。他方、共通チャネル使用率がしきい値を超えていれば、共通チャネルでの信号の送受は他の移動局との競合制御のため接続時間がかかると判断し、個別チャネルの設定を行う（ステップＳ６）。
【００４３】
この一連の動作において、無線基地局１０１は移動局１０２との信号の送受信において、最も接続時間が短いと推定される最適な無線チャネルを設定し、かつセル端で共通チャネルで信号送受信し続けることによる干渉の増加も抑制することが可能となる。
【００４４】
なお、本実施の形態では、送信電力の測定、通信品質の測定、共通チャネルの使用率の測定を全て組み合わせて判断し制御する構成にしたが、それぞれ単独で実現してもそれぞれの効果が期待できる。
【００４５】
また、本実施の形態では音声やパケットデータ等の通信信号の種別を問わず、無線チャネルを設定するが、例えば音声通信や大きいパケットデータの場合は、制御信号の送受に関してのみ本実施の形態と同様に行い、最終的に通信用の高速の個別チャネルを設定する方法を採用することもできる。
【００４６】
【発明の効果】
以上説明したように本発明によれば、移動通信システムが移動局との信号の送受信において、最も接続時間が短いと推定される最適な無線チャネルを設定し、かつセル端では個別チャネルで送受信することにより干渉の増加を抑制することができ、システム容量を維持しつつ接続時間短縮によるサービス性の向上を図ることができる。
【００４７】
そして特に請求項１及び２本発明の移動通信システムにおける無線チャネル設定方法によれば、移動局の送信電力の大小に応じて後続の信号の送受信を行うチャネルを共通チャネルか個別チャネルを選択することにより、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防することができる。
【００４８】
また請求項３及び４の発明の移動通信システムにおける無線チャネル設定方法によれば、共通チャネルの無線通信品質に合わせて信号の送受を行うチャネルを共通チャネルか個別チャネルかを選択することにより、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止することができる。
【００４９】
また請求項５〜７の発明の移動通信システムにおける無線チャネル設定方法によれば、共通チャネルの空き具合に合わせて信号の送受を行うチャネルを共通チャネルか個別チャネルかを選択することにより、共通チャネルが空いている場合にはそのまま共通チャネルで信号を送受して接続時間の短縮化を図り、共通チャネルが混んでいる場合には個別チャネルを設定して他移動局との競合による接続時間の増加を防止することができる。
【００５０】
また請求項８及び９の発明の移動通信システムによれば、移動局の送信電力の大小に応じて後続の信号の送受信を行うチャネルを共通チャネルか個別チャネルを選択するので、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防することができる。
【００５１】
また請求項１０及び１１の発明の移動通信システムによれば、共通チャネルの無線通信品質に合わせて信号の送受を行うチャネルを共通チャネルか個別チャネルかを選択するので、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止することができる。
【００５２】
また請求項１２〜１４の発明の移動通信システムによれば、共通チャネルの空き具合に合わせて信号の送受を行うチャネルを共通チャネルか個別チャネルかを選択するので、共通チャネルが空いている場合にはそのまま共通チャネルで信号を送受して接続時間の短縮化を図り、共通チャネルが混んでいる場合には個別チャネルを設定して他移動局との競合による接続時間の増加を防止することができる。
【００５３】
また、請求項１５及び１６の発明の移動通信制御装置によれば、無線基地局近傍の移動局とはそのまま共通チャネルで信号を送受して接続時間の短縮化を図り、セル端の移動局とは個別チャネルを設定して干渉の増加を抑制し、かつ送信電力が上限に達する可能性を低くして通信品質を安定させ、接続時間の増加を予防することができる。
【００５４】
請求項１７及び１８の発明の移動通信制御装置によれば、共通チャネルの無線通信品質に合わせて信号の送受を行うチャネルを共通チャネルか個別チャネルかを選択するので、共通チャネルの無線通信品質の良い移動局にはそのまま共通チャネルで信号を送受して接続時間の短縮化を図り、共通チャネルの通信品質の悪い移動局には個別チャネルを設定して通信品質を安定させ、接続時間の増加を防止することができる。
【００５５】
請求項１９〜２１の発明の移動通信制御装置によれば、共通チャネルの空き具合に合わせて信号の送受を行うチャネルを共通チャネルか個別チャネルかを選択するので、共通チャネルが空いている場合にはそのまま共通チャネルで信号を送受して接続時間の短縮化を図り、共通チャネルが混んでいる場合には個別チャネルを設定して他移動局との競合による接続時間の増加を防止することができる。
【図面の簡単な説明】
【図１】本発明の１つの実施の形態の移動通信システムのブロック図。
【図２】上記の実施の形態の移動通信システムにおいて、無線基地局及び制御局のいずれか又は両方が分担して備える無線チャネル設定機能のブロック図。
【図３】上記の実施の形態の移動通信システムによる無線チャネル設定処理のフローチャート。
【図４】従来の移動通信システムによる無線チャネル設定処理のシーケンス図。
【符号の説明】
１００　セル
１０１　無線基地局
１０２　移動局
１０３　無線チャネル
１０４　制御局
１０５　交換局
２０１　送受信処理部
２０２　共通チャネル制御部
２０３　個別チャネル制御部
２０５　制御信号処理部
２０６　通信信号処理部
２０７　無線チャネル設定制御部
２０８　使用率測定部
２０９　送信電力測定部
２１０　通信品質測定部
【図１】
2004032211.tif 000003
【図２】
2004032211.tif 000004
【図３】
2004032211.tif 000005
【図４】
2004032211.tif 000006